(57)【特許請求の範囲】
【請求項１】
円筒形の商品を横倒しにして商品収納棚の商品通路に上下方向に一列に積み上げて保存し、販売指令に従って一個ずつ搬出するようにした自動販売機の商品搬出装置において、商品搬出装置に接続する電気配線を保護する配線ダクトは、間隔を開けて略平行に配置した断面形状が略直角四辺形で長さが商品通路幅より短い基部と、両基部間を上部で連結する断面逆Ｕ字形状の接続部と、一方の基部の端部の内側に端を発し円弧状に張出てから反転して半円形を形成して他方の基部に接近しさらに反転して円弧を形成して前記他方の基部から離れてから前記他方の基部の端部の内側に繋がり両基部間を長手方向の端部で連結し、かつ、両基部間の間隔を弾力的に保つ弾性体と、基部の上面に配し折り曲げ部が外向きになるようにした逆Ｌ字形状の複数個の係合片と、一方の基部の下面の外側の端部近辺から下方に伸展し下端を内側に折り曲げて爪部を形成した，長さが基部と略同じ長さの引っ掛け部と、他方の基部の下面の外側の端部近辺から下方に基部の長さと略同じ長さで伸展し中間で内向きに折り曲げて断面Ｕ字状に成形し先端を外向きに折り曲げて前記一方の基部の引っ掛け部に係止する爪部を形成したＵ字状カバーとで構成し、前記両基部の下面とＵ字状カバーとで形成した内側の空間に配線部材を保持するようにしたことを特徴とする自動販売機の商品搬出装置の配線ダクト。
【請求項２】
請求項１記載の自動販売機の商品搬出装置の配線ダクトにおいて、商品搬出装置の前面、両側面の半分および下面の一部を覆う前面の外板と、後面、残りの両側面および下面の一部を覆う後面の外板とが下面で前後方向に向かい合う前後面の外板の端面の間隔を前記逆Ｌ形状の係合片の前後の外縁間の長さより短くし、前記逆Ｌ形状の複数個の係合片を前記端面に係合させる際に両基部が接近する方向に外力を与えて前記両基部間の係合片の外縁の間隔を狭めて前記端面間に前記逆Ｌ形状の複数個の係合片を下側から挿入してから両基部に与えた外力を除去することにより、両基部およびそれに繋がる係合片が互いに反対方向に広がって係合片の垂直部が端面に接近して係合片の外向きの折り曲げ部が前記外板の上面に重なり配線ダクトが商品搬出装置の下面を形成する外板に係止するようにしたことを特徴とする自動販売機の商品搬出装置の配線ダクト。
【請求項３】
請求項１または請求項２に記載の自動販売機の商品搬出装置の配線ダクトにおいて、前記Ｕ字状カバーの一方の折り曲げ部の内側に長手方向の全長に渡って設けた溝の厚さが中央部分で長手方向の両端近辺より薄くなるようにしたことを特徴とする自動販売機の商品搬出装置の配線ダクト。
【請求項４】
請求項１ないし請求項３のいずれかに記載の自動販売機の商品搬出装置の配線ダクトにおいて、前記Ｕ字状カバーの底面の外側の長手方向の端部近辺に弾性体の突起を複数個形設けたことを特徴とする自動販売機の商品搬出装置の配線ダクト。
【発明の詳細な説明】
【０００１】
【発明の属する技術分野】
この発明は、円筒形の商品を横倒しにして商品収納棚の商品通路に上下方向に一列に積み上げて保存し、販売指令に従って一個ずつ搬出するようにした自動販売機の商品搬出装置の配線ダクトに関する。
【０００２】
【従来の技術】
図１０は従来例の自動販売機の商品搬出装置の配線ダクトの構成図を示し、図１１（ａ）は配線ダクトを商品搬出装置に装着する前段階の側断面図、（ｂ）は配線ダクトを商品搬出装置に装着した側断面図を示す。この図１０、図１１において、１は商品搬出装置本体であり、２は商品搬出装置１の下部に装着される配線ダクトである。
【０００３】
この配線ダクト２は、断面形状が凹字状で長さが商品搬出装置１の長さより短い基部２ａと、該基部２ａの上面から上向きに突出して、その先端から内側は垂直で外側は傾斜を持つ三角形状の矢形を前記基部に繋げる矢柄を有する係合片２ｂと、基部２ａの下面の一方の端部から伸展して基部２ａと同じ幅でＵ字状に形成し先端を外向きに折り曲げて爪部を形成したＵ字状カバー２ｃと、基部２ａの下面の他方の端部から基部２ａと同じ幅で伸展して先端を内向きに折り曲げて前記Ｕ字状カバー２ｃの爪部を係止するようにした引っ掛け部２ｄと、前記Ｕ字状カバー２ｃの一方の折り曲げ部の内側の中間に設けた溝２ｅと、基部２ａの中央の窪みに設けられて商品搬出装置１を商品収納棚に取り付けるピン３を挟持する湾曲した腕を持ち上部が開口した保持具４とで構成している。この配線ダクト２を商品搬出装置１に取り付ける際は、配線ダクト２の上面の前後の係合片２ｂの先端の傾斜が係合穴１ａの外縁に当接してからさらに挿入すると前後の係合片２ｂが互いに接近する方向に曲げられ矢の最大厚み以上に挿入されると曲げられた矢柄の部分が復元して矢柄の部分が係合穴１ａの外縁に当接し矢の三角形の底辺の部分が商品搬出装置１の下部の外板に重なり係合片２ｂを係合穴１ａに係止し、同時に、前記商品搬出装置１の下部の外板の一部を下向きに折り曲げてピン３を挟持するようにした挟持具１ｂをピン３とともに、基部２ａの上部の窪みに挿入して保持具４の腕でピン３を挟持するまで挿入する（図１１参照）。
【０００４】
また、商品搬出装置１の配線部材を外部に接続する際はＵ字状カバー２ｃと、基部２ａとで形成した空間を通してＵ字状カバー２ｃで配線部材を保持し、かつ保護する。
また、前記配線部材の点検および清掃を行う際はＵ字状カバー２ｃの爪部を引っ掛け部２ｄから外してＵ字状カバー２ｃを下向きに開けると配線ダクト２の中の配線部材が露出するので点検および清掃が用意に行える。
【０００５】
【発明が解決しようとする課題】
ところで従来の構成では、配線ダクトが何らかの理由で損傷して配線ダクトを商品搬出装置から外す際は係合片の矢の部分が引っ掛かるので商品搬出装置の下部の外板の内側から矢を内側に押しながら配線ダクトを下向きに移動させなければならないので外す作業が困難であり、また、配線ダクトを商品搬出装置に取り付けるためにピンを商品搬出装置の外板の下側に移設して外板の一部を下向きに折り曲げて挟持具を形成し、該挟持具でピンを挟持し、該ピンを配線ダクトの基部に設けた保持具で挟んで保持しているので、ピンを商品搬出装置の外板の下側に移設した分と、保持具の一部分とが配線ダクトと商品搬出装置の合計高さを高くしている。
【０００６】
さらにＵ字状カバーの折り曲げ部の内側に設けた溝が全体に一様な厚さになっており、その厚さは端部からの綻びを防止するために開閉および配線材の保持するのに必要な強度以上に厚くしなければならないのでＵ字状カバーの開閉が柔軟性に欠ける。
また、Ｕ字状カバーの前記折り曲げ部の角に商品が当たった際に商品に瑕が付く恐れがある。
【０００７】
この発明は上記課題を解決するためになされたもので、その目的とするところは、配線ダクトと商品搬出装置の合計高さを低くし、Ｕ字状カバーの開閉を柔軟にし、Ｕ字状カバーの前記折り曲げ部の角に商品が当たった際に商品に瑕が付かない自動販売機の商品搬出装置の配線ダクトを提供することにある。
【０００８】
【課題を解決するための手段】
上記課題を解決するために請求項１記載の発明は、円筒形の商品を横倒しにして商品収納棚の商品通路に上下方向に一列に積み上げて保存し、販売指令に従って一個ずつ搬出するようにした自動販売機の商品搬出装置において、商品搬出装置に接続する電気配線を保護する配線ダクトは、間隔を開けて略平行に配置した断面形状が略直角四辺形で長さが商品通路幅より短い基部と、両基部間を上部で連結する断面逆Ｕ字形状の接続部と、一方の基部の端部の内側に端を発し円弧状に張出てから反転して半円形を形成して他方の基部に接近しさらに反転して円弧を形成して前記他方の基部から離れてから前記他方の基部の端部の内側に繋がり両基部間を長手方向の端部で連結し、かつ、両基部間の間隔を弾力的に保つ弾性体と、基部の上面に配し折り曲げ部が外向きになるようにした逆Ｌ字形状の複数個の係合片と、一方の基部の下面の外側の端部近辺から下方に伸展し下端を内側に折り曲げて爪部を形成した，長さが基部と略同じ長さの引っ掛け部と、他方の基部の下面の外側の端部近辺から下方に基部の長さと略同じ長さで伸展し中間で内向きに折り曲げて断面Ｕ字状に成形し先端を外向きに折り曲げて前記一方の基部の引っ掛け部に係止する爪部を形成したＵ字状カバーとで構成し、前記両基部の下面とＵ字状カバーとで形成した内側の空間に配線部材を保持するようにしたことを特徴とする。
【０００９】
また、請求項２記載の発明のように、請求項１記載の自動販売機の商品搬出装置の配線ダクトにおいて、商品搬出装置の前面、両側面の半分および下面の一部を覆う前面の外板と、後面、残りの両側面および下面の一部を覆う後面の外板とが下面で前後方向に向かい合う前後面の外板の端面の間隔を前記逆Ｌ形状の係合片の前後の外縁間の長さより短くし、前記逆Ｌ形状の複数個の係合片を前記端面に係合させる際に両基部が接近する方向に外力を与えて前記両基部間の係合片の外縁の間隔を狭めて前記端面間に前記逆Ｌ形状の複数個の係合片を下側から挿入してから両基部に与えた外力を除去することにより、両基部およびそれに繋がる係合片が互いに反対方向に広がって係合片の垂直部が端面に接近して係合片の外向きの折り曲げ部が前記外板の上面に重なり配線ダクトが商品搬出装置の下面を形成する外板に係止するようにすることができる。
【００１０】
上記請求項１および請求項２の構成により配線ダクトの商品搬出装置への取付けが外板の下面側の端部間に基部上面に設けた係合片を下から挿入して係合することにより行われるので商品搬出装置は外板の下にピンを移設する必要が無くなり、また外板と係合片との重なり部分を広くできるのでピンを配線ダクト側から挟持しなくても配線ダクトを商品搬出装置に取付けて保持する充分な強度にすることが可能になり、その分配線ダクトと商品搬出装置との合計高さを低くすることが可能になる。
【００１１】
さらに、請求項３記載の発明のように、請求項１または請求項２に記載の自動販売機の商品搬出装置の配線ダクトにおいて、前記Ｕ字状カバーの一方の折り曲げ部の内側に長手方向の全長に渡って設けた溝の厚さが中央部分で長手方向の両端近辺より薄くすることができる。
上記構成により溝の肉厚を長手方向の両端近辺では繰り返し開閉により端部から綻びが生じて乖離するのを防ぐ厚さにして中央部ではＵ字状カバーの開閉の抵抗が少なくなるように薄くすることによりＵ字状カバーの開閉を柔軟にすることが可能になる。
【００１２】
また、請求項４記載の発明のように、請求項１ないし請求項３のいずれかに記載の自動販売機の商品搬出装置の配線ダクトにおいて、前記Ｕ字状カバーの底面の外側の長手方向の端部近辺に弾性体の膨らみを複数個形設けことができる。
上記構成により前後に並べられた商品収納棚の奥の商品搬出装置から搬出された商品がシュータ上を転動して自動販売機の前面の商品取出口に搬出される途中で跳ねて配線ダクトに当たっても弾性体の突起で衝突の衝撃が吸収されて商品に瑕が付くことを抑制することが可能になる。
【００１３】
【発明の実施の形態】
請求項１、および請求項２の発明の実施例を図１〜図７を用いて説明する。図１はこの発明の商品搬出装置の配線ダクトが装着された自動販売機の外観図、図２は図１の商品収納棚の側断面図、図３はこの発明の配線ダクトを商品搬出装置に装着した外観図、図４はこの発明の配線ダクトの外観図、図５は図４のＡ矢視図、図６は図５の端部に外力を加えて変形させた図、図７（ａ）は商品搬出装置に配線ダクトを装着する前段階の側面図、図７（ｂ）は商品搬出装置に配線ダクトを装着した状態の側面図を示す。この図１〜図７において、従来例と同一の符号を付けた部材はおおよそ同一の機能を有するのでその説明は省略する。この図１において、１０は本体キャビネットであり、その下部は冷凍機を収納した機械室として使用され、機械室の上部は前面を除いて断熱壁を配し、さらに断熱性の仕切板により複数部屋に分割されている。
【００１４】
その分割された個々の部屋は冷風、温風、または冷風と温風とを季節により切り換える送風により、冷蔵庫、または温蔵庫として使用される。
そして、前記冷蔵庫、または温蔵庫には商品収納棚４０が装着されその中に商品を冷蔵または温蔵する。これら冷蔵庫、および温蔵庫の前面は開閉可能な断熱性の内扉３０で閉鎖され、さらに内扉３０の外側に外扉２０が本体キャビネット１０にヒンジ取り付けされて、本体キャビネット１０の前面を開閉可能に閉鎖している。
【００１５】
図示されていないが、外扉２０には、販売商品を展示する展示室と、商品選択ボタン、硬貨投入口、釣銭返却レバー、釣銭返却口、商品取出口等の操作部とが設けられている。そして、顧客が外扉２０の展示商品を見て商品を購入する際に、硬貨投入口に商品の代価を投入し、商品選択ボタンを押して、本体キャビネット１０の商品収納棚４０から搬出され、シュータを経て商品取出口に搬出された商品を商品取出口の前面を揺動可能に覆うフラッパを開けて取り出す。
【００１６】
商品収納棚４０に商品を補給する際は、外扉２０、および内扉３０を開放して商品投入口から一個ずつ順次投入する。
図２において、商品収納棚４０は、湾曲したセグメント４０ｂの複数枚を左右の側板の間に上下方向に並べて形成したセグメント列を前後に配列して、そのセグメント列の間に上下方向の商品通路４０ｃを形成している。商品通路４０ｃの上端と商品投入口４０ａとはトップトレーを用いて連携している。４０ｄはトップトレー上を転動して投入される商品の長さサイズに合わせて転動路の横幅を規制する仕切板と仕切板の先端部に一体に繋がる商品通路４０ｃの横幅を規制する横幅規制板である。商品通路の最下部には販売指令により商品を一個ずつ搬出する商品搬出装置１が配線ダクト２とともに取付けられている。
【００１７】
図３はこの商品搬出装置１と配線ダクト２とが一体に組み立てられた状態を示し、商品搬出装置１はピン３で商品収納棚に固定されている。
図４において、配線ダクト２は、間隔を開けて略平行に配置した断面形状が略直角四辺形で長さが商品通路幅より短い基部２ａと、両基部２ａ間を上部で連結する断面逆Ｕ字形状の接続部７と、一方の基部２ａの端部の内側に端を発し円弧状に張出てから反転して半円形を形成して他方の基部に接近しさらに反転して円弧を形成して前記他方の基部２ａから離れてから前記他方の基部２ａの端部の内側に繋がり両基部２ａ間を長手方向の端部で連結し、かつ、両基部２ａ間の間隔を弾力的に保つ弾性体６と、基部２ａの上面に配し折り曲げ部が外向きになるようにした逆Ｌ字形状の複数個の係合片５と、一方の基部２ａの下面の外側の端部近辺から下方に伸展し下端を内側に折り曲げて爪部を形成し、長さが基部と略同じ長さの引っ掛け部２ｄと、他方の基部２ａの下面の外側の端部近辺から下方に基部２ａの長さと略同じ長さで伸展し中間で内側の長手方向に設けた溝２ｅを境に内向きに折り曲げて断面Ｕ字状に成形し先端を外向きに折り曲げて前記一方の基部２ａの引っ掛け部２ｄに係止する爪部を形成したＵ字状カバー２ｃとで構成し、前記両基部２ａの下面とＵ字状カバー２ｄとで形成した内側の空間に配線部材を保持する。
【００１８】
図５において、配線ダクト２は、略平行な両基部２ａの上面の長手方向の両端４か所に前記係合片５と、端部で両基部２ａを連結する前記弾性体６と、中央で両基部２ａを連結する前記接続部７とを有している。
図６は、図５に係合片５の近辺の外側から外力を与えて基部２ａを内側に変形させた状態を示す。
【００１９】
図７は商品搬出装置１に配線ダクト２を装着する際の側面図を示し、（ａ）は装着前段階で図６のように外力を加えて内側に寄せられた係合片５を外板１ａの下面の前後の端面の間隔Ｃの間から挿入してから外力を取り除き（ｂ）のように係合片５を外板１ａの上面に重ねて係止する。
図８は請求項３の発明の配線ダクトの構成を示す図４のＢ矢視図を示す。図において、弾性体の突起８は配線ダクト２の底部の折り曲げのための溝２ｅの裏側に相当する部分の長手方向の端部に２列ずつ設けられている。
【００２０】
図９は請求項４の発明の構成を示し、（ａ）は配線ダクトのＵ字状カバーを開いた状態図、（ｂ）は（ａ）の側面図を示す。図において、配線ダクト２は、上面に基部を接続する接続部７および配線ダクト２を商品搬出装置に係止する係合片５を備えており、基部の下側には前面に引っ掛け部２ｄと、後側にＵ字状カバー２ｃとを備えている。このＵ字状カバー２ｃは溝２ｅの箇所で折り曲げて先端の爪部を前記引っ掛け部２ｄに係止して配線材を保持するダクトを形成している。
【００２１】
前記溝２ｅは長手方向の両端部で繰り返し開閉に対し端部から綻びを生じない厚さに、中央部では配線材を保持できる程度の強度を有する厚さ（両端部より薄肉になる）に成形されている。
【００２２】
【発明の効果】
この発明によれば、配線ダクトの商品搬出装置への着脱が容易になり作業性が向上する効果がある。また、商品搬出装置と配線ダクトとの合計高さが低くなりその分商品収納スペースを拡大する効果がある。
さらに、搬出された商品を瑕付けないようにする効果がある。
【図面の簡単な説明】
【図１】この発明の商品搬出装置の配線ダクトが装着された自動販売機の外観図
【図２】図１の商品収納棚の側断面図
【図３】この発明の配線ダクトを商品搬出装置に装着した外観図
【図４】図４はこの発明の配線ダクトの外観図
【図５】図４のＡ矢視図
【図６】図５の端部に外力を加えて変形させた図
【図７】（ａ）は商品搬出装置に配線ダクトを装着する前段階の側面図、（ｂ）は商品搬出装置に配線ダクトを装着した状態の側面図
【図８】請求項３の発明の配線ダクトの構成を示す図４のＢ矢視図
【図９】請求項４の発明の構成を示し、（ａ）は配線ダクトのＵ字状カバーを開いた状態図、（ｂ）は（ａ）の側面図
【図１０】従来例の自動販売機の商品搬出装置の配線ダクトの構成図
【図１１】（ａ）は配線ダクトを商品搬出装置に装着する前段階の側断面図、（ｂ）は配線ダクトを商品搬出装置に装着した側断面図
【符号の説明】
２      配線ダクト
２ａ    基部
２ｃ    Ｕ字状カバー
２ｄ    引っ掛け部
２ｅ    溝
５      係合片
６      弾性体
７      接続部
８      突起
１０      本体キャビネット
２０      外扉
３０      内扉
４０      商品収納棚
４０ａ    商品投入口
４０ｂ    セグメント
４０ｃ    商品通路
４０ｄ    横幅規制板
【図１】
0003632332.tif 000002
【図２】
0003632332.tif 000003
【図３】
0003632332.tif 000004
【図４】
0003632332.tif 000005
【図５】
0003632332.tif 000006
【図６】
0003632332.tif 000007
【図７】
0003632332.tif 000008
【図８】
0003632332.tif 000009
【図９】
0003632332.tif 000010
【図１０】
0003632332.tif 000011
【図１１】
0003632332.tif 000012